(57)【特許請求の範囲】
【請求項１】
相手側コネクタの相手側ハウジングに嵌合可能なハウジングと、このハウジングに保持される複数のＬ字状のコンタクトとを備えているコネクタにおいて、
前記ハウジングは、コネクタ嵌合方向へ延びる板状の保持部と、この保持部の前記コネクタ嵌合方向の後端に連なり、前記保持部に対して直角に延びる板状の後壁部とを有し、
前記複数のＬ字状のコンタクトは、第１コンタクトと第２コンタクトとを含み、
前記第１コンタクトは、前記保持部の上面から前記後壁部の後面にかけて配置され、
前記第２コンタクトは、前記保持部の下面から前記後壁部の前面にかけて配置され、
前記第１コンタクトと前記第２コンタクトとは、それぞれ前記相手側コネクタの相手側コンタクトに接触可能な接触部と、接続対象物に接続される接続部と、前記ハウジングに固定される固定部とを有し、
前記第１コンタクトの接触部は、前記コネクタ嵌合方向に対して直交するコンタクト配列方向に沿って少なくとも一列に並び、
前記第２コンタクトの接触部は、前記コンタクト配列方向に沿って少なくとも一列に並び、
前記第１コンタクトの接触部で形成される列と前記第２コンタクトの接触部で形成される列とは、平行であり、
前記第１コンタクトの接触部で形成される列は、前記第２コンタクトの接触部で形成される列に対して、前記コネクタ嵌合方向及び前記コンタクト配列方向のそれぞれに直交するハウジング高さ方向の上方に配置され、
前記第１コンタクトの接続部は、前記コンタクト配列方向に沿って少なくとも一列に並び、
前記第２コンタクトの接続部は、前記コンタクト配列方向に沿って少なくとも一列に並び、
前記第１コンタクトの接続部で形成される列と前記第２コンタクトの接続部で形成される列とは、平行であり、
前記第１コンタクトの接続部で形成される列は、前記第２コンタクトの接続部で形成される列に対して、前記コネクタ嵌合方向の後方に配置され、
前記第１コンタクトの固定部は、前記コネクタ嵌合方向へ延び、前記保持部の上面及び前記後壁部の上面によって保持され、
前記第２コンタクトの固定部は、前記コネクタ嵌合方向で前記第１コンタクトの接触部と前記第１コンタクトの接続部との間に位置し、前記ハウジング高さ方向に沿って前記後壁部の前面に圧入されている
ことを特徴とするコネクタ。
【請求項２】
前記第１コンタクトの接続部が、表面実装型の平面形状を有し、
前記第２コンタクトの接続部が、スルーホール挿入型のピン形状を有することを特徴とする請求項１記載のコネクタ。
【請求項３】
前記第１コンタクトの接続部が、前記ハウジングの外へ突き出ていることを特徴とする請求項２記載のコネクタ。
【請求項４】
前記ハウジングに凹部が形成され、前記第２コンタクトに前記凹部と係合する係合部が形成されていることを特徴とする請求項１〜３のいずれか１項記載のコネクタ。
【請求項５】
前記第１コンタクトは高速伝送用コンタクトであり、前記第２コンタクトは非高速伝送用コンタクトであることを特徴とする請求項１〜４のいずれか１項記載のコネクタ。
【請求項６】
前記高速伝送用コンタクトは、対をなす高速伝送用信号コンタクトと、高速伝送用グランドコンタクトとを含み、
対をなす前記高速伝送用信号コンタクトと前記高速伝送用グランドコンタクトとが交互に配置されているとともに、対をなす前記高速伝送用信号コンタクトの接続部が前記コンタクト配列方向で隣接する前記高速伝送用グランドコンタクトの接続部間に配置されている
ことを特徴とする請求項５記載のコネクタ。
【請求項７】
前記非高速伝送用コンタクトの接続部が前記コンタクト配列方向へ千鳥状に配置されている
ことを特徴とする請求項６項記載のコネクタ。
【発明の詳細な説明】
【技術分野】
【０００１】
この発明はコネクタに関し、特に奥行き寸法を小さくしたコネクタに関する。
【背景技術】
【０００２】
従来、複数のＬ字形のコンタクトとこのコンタクトを保持するインシュレータとを備えているコネクタであって、基板に実装されるものが知られている（特開２００２−３３４７４８号公報参照）。
【０００３】
インシュレータは相手側コネクタと嵌合する嵌合部を有している。Ｌ字形のコンタクトは接触部と被保持部と端子部とを有する。接触部は相手側コネクタに対するインシュレータの嵌合方向へ延びている。接触部はインシュレータの嵌合部にコンタクト配列方向に沿って上下２列に並んでいる。被保持部は接触部に連なり、コネクタの嵌合方向へ延び、インシュレータに保持されている。端子部は基板のスルーホールに半田付される。
【発明の開示】
【発明が解決しようとする課題】
【０００４】
一般に、Ｌ字形のコンタクトの被保持部は、コネクタの嵌合方向に沿ってインシュレータに圧入される。
【０００５】
Ｌ字形のコンタクトを有するコネクタでは、コネクタの嵌合方向へ延びるコンタクトの被保持部がインシュレータに保持されるので、コンタクトの被保持部を保持しているインシュレータの保持部分の長さ（嵌合方向の長さ）が一定の長さ以上でないと、コンタクトの被保持部を保持するための十分な保持力を得られない。
【０００６】
Ｌ字形のコンタクトの接触部が上下２列に配置される上述のコネクタでは、上の列のコンタクトの被保持部の長さを下の列のコンタクトの被保持部の長さよりも長くする必要がある。なぜなら、上の列のコンタクトの被保持部の長さが下の列のコンタクトの被保持部の長さと同じならば、上の列のコンタクトの端子部と下の列のコンタクトの端子部とが接触するからである。また、コンタクトの被保持部を保持するインシュレータの保持部分の最短長さを決めるとき、下の列のコンタクトの被保持部を保持するインシュレータの保持部分の長さを基準とすると、上の列のコンタクトの被保持部を保持するインシュレータの保持部分の長さは、その基準の長さよりも長くなる。なぜなら、上の列のコンタクトの被保持部を保持するインシュレータの保持部分の長さを基準とすると、下の列のコンタクトの被保持部分の長さが短くなり、コンタクトを保持するための十分な保持力を確保できないからである。
【０００７】
したがって、従来のコネクタには、上の列のコンタクトの被保持部を保持するインシュレータの保持部分が長くなり、コネクタの奥行き方向の寸法が大きくなるという問題がある。
【０００８】
この発明はこのような事情に鑑みてなされたもので、その課題は、コネクタの奥行き方向の寸法を小さくすることができるコネクタを提供することである。
【課題を解決するための手段】
【０００９】
前述の課題を解決するため請求項１の発明は、相手側コネクタの相手側ハウジングに嵌合可能なハウジングと、このハウジングに保持される複数のＬ字状のコンタクトとを備えているコネクタにおいて、前記複数のＬ字状のコンタクトは、第１コンタクトと第２コンタクトとを含み、前記第１コンタクトと前記第２コンタクトとは、それぞれ前記相手側コネクタの相手側コンタクトに接触可能な接触部と、接続対象物に接続される接続部と、前記ハウジングに固定される固定部とを有し、前記第１コンタクトの接触部は、コネクタ嵌合方向に対して直交するコンタクト配列方向に沿って少なくとも一列に並び、前記第２コンタクトの接触部は、前記コンタクト配列方向に沿って少なくとも一列に並び、前記第１コンタクトの接触部で形成される列と前記第２コンタクトの接触部で形成される列とは、平行であり、前記第１コンタクトの接触部で形成される列は、前記第２コンタクトの接触部で形成される列に対して、前記コネクタ嵌合方向及び前記コンタクト配列方向のそれぞれに直交するハウジング高さ方向の上方に配置され、前記第１コンタクトの接続部は、前記コンタクト配列方向に沿って少なくとも一列に並び、前記第２コンタクトの接続部は、前記コンタクト配列方向に沿って少なくとも一列に並び、前記第１コンタクトの接続部で形成される列と前記第２コンタクトの接続部で形成される列とは、平行であり、前記第１コンタクトの接続部で形成される列は、前記第２コンタクトの接続部で形成される列に対して、前記コネクタ嵌合方向の後方に配置され、前記第１コンタクトの固定部は、前記コネクタ嵌合方向へ延び、前記第２コンタクトの固定部は、前記コネクタ嵌合方向で前記第１コンタクトの接触部と前記第１コンタクトの接続部との間に位置し、前記ハウジング高さ方向に沿って前記ハウジングに圧入されていることを特徴とする。
【００１０】
前述の課題を解決するため請求項１の発明は、相手側コネクタの相手側ハウジングに嵌合可能なハウジングと、このハウジングに保持される複数のＬ字状のコンタクトとを備えているコネクタにおいて、前記ハウジングは、コネクタ嵌合方向へ延びる板状の保持部と、この保持部の前記コネクタ嵌合方向の後端に連なり、前記保持部に対して直角に延びる板状の後壁部とを有し、前記複数のＬ字状のコンタクトは、第１コンタクトと第２コンタクトとを含み、前記第１コンタクトは、前記保持部の上面から前記後壁部の後面にかけて配置され、前記第２コンタクトは、前記保持部の下面から前記後壁部の前面にかけて配置され、前記第１コンタクトと前記第２コンタクトとは、それぞれ前記相手側コネクタの相手側コンタクトに接触可能な接触部と、接続対象物に接続される接続部と、前記ハウジングに固定される固定部とを有し、前記第１コンタクトの接触部は、前記コネクタ嵌合方向に対して直交するコンタクト配列方向に沿って少なくとも一列に並び、前記第２コンタクトの接触部は、前記コンタクト配列方向に沿って少なくとも一列に並び、前記第１コンタクトの接触部で形成される列と前記第２コンタクトの接触部で形成される列とは、平行であり、前記第１コンタクトの接触部で形成される列は、前記第２コンタクトの接触部で形成される列に対して、前記コネクタ嵌合方向及び前記コンタクト配列方向のそれぞれに直交するハウジング高さ方向の上方に配置され、前記第１コンタクトの接続部は、前記コンタクト配列方向に沿って少なくとも一列に並び、前記第２コンタクトの接続部は、前記コンタクト配列方向に沿って少なくとも一列に並び、前記第１コンタクトの接続部で形成される列と前記第２コンタクトの接続部で形成される列とは、平行であり、前記第１コンタクトの接続部で形成される列は、前記第２コンタクトの接続部で形成される列に対して、前記コネクタ嵌合方向の後方に配置され、前記第１コンタクトの固定部は、前記コネクタ嵌合方向へ延び、前記保持部の上面及び前記後壁部の上面によって保持され、前記第２コンタクトの固定部は、前記コネクタ嵌合方向で前記第１コンタクトの接触部と前記第１コンタクトの接続部との間に位置し、前記ハウジング高さ方向に沿って前記後壁部の前面に圧入されていることを特徴とする。
【００１１】
請求項２の発明は、請求項１記載のコネクタにおいて、前記第１コンタクトの接続部が、表面実装型の平面形状を有し、前記第２コンタクトの接続部が、スルーホール挿入型のピン形状を有することを特徴とする。
【００１２】
請求項３の発明は、請求項２記載のコネクタにおいて、前記第１コンタクトの接続部が、前記ハウジングの外へ突き出ていることを特徴とする。
【００１３】
請求項４の発明は、請求項１〜３のいずれか１項記載のコネクタにおいて、前記ハウジングに凹部が形成され、前記第２コンタクトに前記凹部と係合する係合部が形成されていることを特徴とする。
【００１４】
請求項５の発明は、請求項１〜４のいずれか１項記載のコネクタにおいて、前記第１コンタクトは高速伝送用コンタクトであり、前記第２コンタクトは非高速伝送用コンタクトであることを特徴とする。
【００１５】
請求項６の発明は、請求項５記載のコネクタにおいて、前記高速伝送用コンタクトは、対をなす前記高速伝送用信号コンタクトと、高速伝送用グランドコンタクトとを含み、対をなす前記高速伝送用信号コンタクトと前記高速伝送用グランドコンタクトとが交互に配置されているとともに、対をなす前記高速伝送用信号コンタクトの接続部が前記コンタクト配列方向で隣接する前記高速伝送用グランドコンタクトの接続部間に配置されていることを特徴とする。
【００１６】
請求項７の発明は、請求項６項記載のコネクタにおいて、前記非高速伝送用コンタクトの接続部が前記コンタクト配列方向へ千鳥状に配置されていることを特徴とする。
【発明の効果】
【００１７】
この発明によれば、コネクタの奥行き方向の寸法を小さくすることができる。
【発明を実施するための最良の形態】
【００１８】
以下、この発明の実施の形態を図面に基づいて説明する。
【００１９】
図１Ａ〜図２Ｂに示すように、コネクタ１はハウジング３と複数のコンタクト５とシェ
ル７とを備える。
【００２０】
ハウジング３は絶縁性の樹脂で形成されている。図２Ａに示すように、ハウジング３は底板部３１と後壁部３２と側壁部３３と保持部３４と突出部３５とを有する。底板部３１は板状であり、その底面には１対の位置決め用ボス３６が形成されている。位置決め用ボス３６は図６に示すプリント基板（接続対象物）２１の位置決め孔２１ｄに挿入される。後壁部３２は底板部３１の後部に連なる。後壁部３２の前面と後面にはそれぞれ所定間隔に複数の圧入溝３２ａ，３２ｂが形成されている。圧入溝３２ａ，３２ｂはハウジング３の高さ方向Ｈ（コンタクト配列方向Ｃと嵌合・離脱方向Ａとに直交する方向）へ延びている。２つの側壁部３３はそれぞれ後壁部３２の両側部に連なる。保持部３４は板状であり、後壁部３２に連なる。保持部３４は、図示しない相手側コネクタのハウジングに対する嵌合・離脱方向（コネクタ嵌合方向）Ａに沿って延び、底板部３１と平行である。保持部３４の先端部下面には溝３４ａが形成されている（図２Ｂ参照）。突出部３５は後壁部３２、両方の側壁部３３及び保持部３４にそれぞれ連なる。突出部３５にはインピーダンスの値を調整するための孔３５ａが形成されている。
【００２１】
コンタクト５には、高速伝送用のコンタクト（第１コンタクト）と非高速伝送用のコンタクト（第２コンタクト）５４，５４´とが含まれる。高速伝送用のコンタクトには、第１信号コンタクト（高速伝送用信号コンタクト）５１と第２信号コンタクト（高速伝送用信号コンタクト）５２とグランドコンタクト（高速伝送用グランドコンタクト）５３とが含まれる。それらのコンタクト５１，５２，５３はそれぞれハウジング３に所定間隔に配置されている。非高速伝送用のコンタクト５４と非高速伝送用のコンタクト５４´とは交互にハウジング３に等間隔に配置されている。１つの第１信号コンタクト５１と１つの第２信号コンタクト５２とで一対の高速伝送用信号コンタクトが構成される。一対の高速伝送用信号コンタクト５１，５２と１つのグランドコンタクト５３とでデファレンシャル信号伝送用の１組のコンタクト群が構成される。
【００２２】
図２Ａに示すように、第１信号コンタクト５１は接触部５１ａと固定部５１ｂと連結部５１ｃと端子部（接続部）５１ｄとを有し、弾性を有する金属板に打抜き加工及び曲げ加工を施すことによって形成されている。接触部５１ａは図示しない相手側コネクタの相手側コンタクトに接触する。接触部５１ａは保持部３４の上面に配置されている。固定部５１ｂはいわゆるモールドイン成型法によってハウジング３に埋め込まれている。連結部５１ｃは固定部５１ｂと端子部５１ｄとを連結する。端子部５１ｄは連結部５１ｃに連なる。端子部５１ｄはプリント基板２１上のパッド２１ａ（図６参照）に半田付けされる。
【００２３】
第２信号コンタクト５２は第１信号コンタクト５１と同形状であるので、図２Ａにおいて、第２信号コンタクト５２に関する符号（５２，５２ａ〜５２ｄ）を第１信号コンタクト５１に関する符号（５１，５１ａ〜５１ｄ）の横に括弧書きして、第２信号コンタクト５２の図示を省略する。第２信号コンタクト５２は接触部５２ａと固定部５２ｂと連結部５２ｃと端子部（接続部）５２ｄとを有し、弾性を有する金属板に打抜き加工及び曲げ加工を施すことによって形成されている。接触部５２ａは相手側コネクタの相手側コンタクトに接触する。接触部５２ａは保持部３４の上面に配置されている。固定部５２ｂはいわゆるモールドイン成型法によってハウジング３に埋め込まれている。連結部５２ｃは固定部５２ｂと端子部５２ｄとを連結する。端子部５２ｄは連結部５２ｃに連なる。端子部５２ｄはプリント基板２１上のパッド２１ａ（図６参照）に半田付けされる。
【００２４】
グランドコンタクト５３は第１信号コンタクト５１と同形状であるので、図２においてグランドコンタクト５３に関する符号（５３，５３ａ〜５３ｄ）を第１信号コンタクト５１に関する符号（５１，５１ａ〜５１ｄ）の横に括弧書きして、グランドコンタクト５３の図示を省略する。グランドコンタクト５３は接触部５３ａと固定部５３ｂと連結部５３ｃと端子部（接続部）５３ｄとを有し、弾性を有する金属板に打抜き加工及び曲げ加工を施すことによって形成されている。接触部５３ａは相手側コネクタの相手側コンタクトに接触する。接触部５３ａは保持部３４の上面に配置されている。固定部５３ｂはいわゆるモールドイン成型法によってハウジング３に埋め込まれている。連結部５３ｃは固定部５３ｂと端子部５３ｄとを連結する。端子部５３ｄは連結部５３ｃに連なる。端子部５３ｄはプリント基板２１上のパッド２１ａ（図６参照）に半田付けされる。
【００２５】
図２Ａ、図２Ｂに示すように、非高速伝送用のコンタクト５４は接触部５４ａと圧入部（固定部）５４ｂと連結部５４ｃと端子部（接続部）５４ｄと配置変換部５４ｅと抜止め部（係合部）５４ｆとを有する。接触部５４ａは相手側コネクタの相手側コンタクトに接触する。接触部５４ａは保持部３４の下面に配置されている。圧入部５４ｂはハウジング３の圧入溝３２ａに圧入されている。連結部５４ｃは接触部５４ａと圧入部５４ｂとを連結する。端子部５４ｄはプリント基板２１のスルーホール２１ｂ（図６参照）に挿入され、半田付けされる。配置変換部５４ｅは圧入部５４ｂと端子部５４ｄとを連結する。配置変換部５４ｅは後方へ折れ曲がり、端子部５４ｄの圧入部５４ｂに対する位置（嵌合・離脱方向Ａの位置）を変える。端子部５４ｄは圧入部５４ｂよりも後方に位置している。抜止め部５４ｆは保持部３４の凹部３４ａと係合し、接着剤等によって保持部３４に固定される（図２Ｂ参照）。
【００２６】
非高速伝送用のコンタクト５４´は配置変換部５４ｅ´を除き、コンタクト５４と同様の構成を有する。配置変換部５４ｅ´は前方へ折れ曲がり、端子部５４ｄ´を圧入部５４ｂよりも前方に位置させる。この結果、端子部５４ｄ，５４ｄ´は千鳥配置になる（図４参照）。したがって、端子部５４ｄ，５４ｄ´を仮想直線で結ぶと左右対称の山形がコンタクト配列方向Ｃへ連なる１つのジグザグ曲線が形成される。端子部５４ｄ，５４ｄ´はプリント基板２１のスルーホール２１ｂに挿入され、半田付けされる。プリント基板２１のスルーホール２１ｂは端子部５４ｄ，５４ｄ´の千鳥配置に合わせて千鳥配置されている（図６参照）。
【００２７】
図５Ａ〜図５Ｃに示すように、コンタクト５４，５４´は弾性を有する金属板に打抜き加工及び曲げ加工を施すことによって形成されている。展開形状時のコンタクト５４の長さとコンタクト５４´の長さとは同じであるので、打ち抜き加工後の曲げ加工が容易である。打ち抜き加工後のコンタクト５４，５４´はキャリア５４ｇにつながれている。
【００２８】
曲げ加工時、コンタクト５４の配置変換部５４ｅは所定の方向へ折り曲げられ、コンタクト５４´の配置変換部５４ｅ´は所定の方向と反対の方向へ折り曲げられる（図５Ｃ参照）。曲げ加工後においても、複数のコンタクト５４，５４´はキャリア５４ｇにつながれている。このため、複数のコンタクト５４，５４´をハウジング３の高さ方向Ｈに沿ってハウジング３の圧入溝３２ａに一度に圧入することができる。コンタクト５４，５４´の圧入部５４ｂ，５４ｂ´を圧入溝３２ａに圧入した後、キャリア５４ｇはコンタクト５４，５４´から切り離される。
【００２９】
シェル７は金属製であり、図１Ａ〜図１Ｄに示すように、脚片７ａと接触片７ｂとロック片７ｃとを有する。脚片７ａはプリント基板２１のスルーホール２１ｃに半田付けされ（図６参照）、接地される。接触片７ｂはシェル７の側面に形成された窓孔７ｄを通じて相手側コネクタの相手側シェル（図示せず）に接触する。ロック片７ｃはシェル７の底面に形成された孔７ｅ内に配置されている。ロック片７ｃは相手側コネクタの相手側シェルに係合し、シェル７に相手側シェルをロックする。
【００３０】
図３に示すように、第１、第２信号コンタクト５１，５２の接触部５１ａ，５２ａとグランドコンタクト５３の接触部５３ａとは、それぞれ嵌合・離脱方向Ａに対して直交するコンタクト配列方向Ｃへ一列に並んでいる。
【００３１】
コンタクト５４，５４´の接触部５４ａ，５４ａ´はコンタクト配列方向Ｃへ一列に並んでいる。
【００３２】
第１、第２信号コンタクト５１，５２の接触部５１ａ，５２ａとグランドコンタクト５３の接触部５３ａとで形成される列と、コンタクト５４，５４´の接触部５４ａ，５４ａ´で形成される列とは、平行である。
【００３３】
対をなす第１、第２信号コンタクト５１，５２の接触部５１ａ，５２ａは、コンタクト配列方向Ｃで隣接するグランドコンタクト５３の接触部５３ａ間に配置されている。第１、第２信号コンタクト５１，５２とグランドコンタクト５３とで形成される列のコンタクト配列方向Ｃのピッチと、コンタクト５４，５４´で形成される列のコンタクト配列方向Ｃのピッチとは異なる。
【００３４】
図４に示すように、第１、第２信号コンタクト５１，５２の端子部５１ｄ，５２ｄとグランドコンタクト５３の端子部５３ｄとは、それぞれコンタクト配列方向Ｃへ一列に並んでいる。
【００３５】
対をなす第１、第２信号コンタクト５１，５２の端子部５１ｄ，５２ｄは、コンタクト配列方向Ｃで隣接するグランドコンタクト５３の端子部５３ｄ間に配置されている。
【００３６】
コンタクト５４、５４´の端子部５４ｄ，５４ｄ´はコンタクト配列方向Ｃへ二列に並んでいる。第１、第２信号コンタクト５１，５２の端子部５１ｄ，５２ｄとグランドコンタクト５３の端子部５３ｄとで形成される列と、コンタクト５４，５４´の端子部５４ｄ，５４ｄ´で形成される２つの列とは、平行である。その２つの列を構成するコンタクト５４の端子部５４ｄとコンタクト５４´の端子部５４ｄ´とは、コンタクト配列方向Ｃに沿って千鳥状に配置される。したがって、端子部５４，５４ｄ´を仮想直線で結ぶと左右対称の山形がコンタクト配列方向Ｃへ連なる１つのジグザグ曲線が形成される。
【００３７】
上述のように、この実施形態によれば、コンタクト５４，５４´の圧入部５４ｂ，５４ｂ´を、嵌合・離脱方向Ａでコンタクト５１，５２，５３の接触部５１ａ，５２ａ，５３ａと端子部５１ｄ，５２ｄ，５３ｄとの間に配置し、ハウジング３の高さ方向に沿ってハウジング３に圧入するようにしたので、コンタクト５４，５４´の嵌合・離脱方向Ａの長さを短くでき、コンタクト５１，５２，５３の嵌合・離脱方向Ａの長さを短くできる。その結果、ハウジング３の奥行き方向の寸法が小さくなり、コネクタの奥行き寸法も小さくなる。
【００３８】
また、高速伝送用の第１、第２信号コンタクト５１，５２の接触部５１ａ，５２ａと高速伝送用のグランドコンタクト５３の接触部５３ａとは、コンタクト配列方向Ｃへ一列に並び、対をなす第１、第２信号コンタクト５１，５２の接触部５１ａ，５２ａがコンタクト配列方向Ｃで隣接するグランドコンタクト５３の接触部５３ａ間に配置されるので、対をなす第１、第２信号コンタクト５１，５２と他の対をなす第１、第２信号コンタクトとの間での伝送特性のバラツキやクロストークが抑制され、伝送劣化を防ぐことができる。
【００３９】
更に、対をなす第１、第２信号コンタクト５１，５２の端子部５１ｄ，５２ｄがコンタクト配列方向Ｃで隣接するグランドコンタクト５３の端子部５３ｄ間に配置されるので、対をなす第１、第２信号コンタクト５１，５２の端子部５１ｄ，５２ｄと、これに隣接する他の対をなす第１、第２信号コンタクトの５１，５２の端子部５１ｄ，５２ｄとの間でのクロストークを抑制し、伝送劣化を防ぐ。
【００４０】
また、第１、第２信号コンタクト５１，５２の端子部５１ｄ，５２ｄとグランドコンタクト５３の端子部５３ｄとで形成される列と、コンタクト５４，５４´の端子部５４ｄ，５４ｄ´で形成される２つの列とは、平行であり、ハウジング３のコンタクト配列方向Ｃの長さを短くすることができ、コネクタ１の小型化を図ることができる。更に、コンタクト５４の端子部５４ｄとコンタクト５４´の端子部５４ｄ´とを、コンタクト配列方向Ｃに沿って千鳥状に配置したので、プリント基板２１のスルーホール２１ｂが設けられている部分の配列方向Ｐの寸法を小さくすることができる。
【００４１】
更に、コンタクト５１，５２，５３，５４，５４´の端子部５１ｄ，５２ｄ，５３ｄ，５４ｄ，５４ｄ´が、ハウジング３の外へ突き出ているので、端子部５１ｄ，５２ｄ，５３ｄ，５４ｄ，５４ｄ´の半田付けの状態を容易に確認することができるとともに、コネクタ１のリペアを容易に行える。
【００４２】
また、コンタクト５４，５４´の抜止め５４ｆ，５４ｆ´がハウジング３の保持部３４の溝３４ａに固着されているので、接触部５４ａ，５４ａ´のぐらつきを防止することができる。
【００４３】
なお、第１コンタクトとして高速伝送用のコンタクト５１，５２，５３が採用され、第２コンタクトとして非高速伝送用のコンタクト５４，５４´が採用されているが、第１コンタクトは高速伝送用のコンタクトに限られず、同様に、第２コンタクトは非高速伝送用のコンタクト５４，５４´に限られない。
【００４４】
また、コンタクト５１，５２，５３の固定部５１ｂ，５２ｂ，５３ｂはいわゆるモールドイン成形により、ハウジング３に埋め込まれているが、固定部５１ｂ，５２ｂ，５３ｂをハウジング３に圧入してハウジング３に固定するようにしてもよい。
【００４５】
なお、コンタクト５１，５２，５３の接続部としてＳＭＴ用の端子部５１ｄ，５２ｄ，５３ｄが採用されているが、第１コンタクトの接続部はスルーホール挿入用の端子部であってもよい。
【００４６】
また、非高速伝送用のコンタクト５４，５４´の接続部としてスルーホール挿入用の端子部５４ｄ，５４ｄ´が採用されているが、コンタクト５４，５４´の接続部はＳＭＴ用の端子部であってもよい。
【図面の簡単な説明】
【００４７】
【図１Ａ】図１Ａはこの発明の第１実施形態のコネクタの正面図である
【図１Ｂ】図１Ｂは同コネクタの側面図である。
【図１Ｃ】図１Ｃは同コネクタの背面図である。
【図１Ｄ】図１Ｄは同コネクタの底面図である。
【図２Ａ】図２Ａは図１ＣのIIＡ−IIＡ線に沿う断面図である。
【図２Ｂ】図２Ｂは図２ＡのＳ部の拡大図である。
【図３】図３は図１に示すコネクタのコンタクトの接触部の配置を示す概念図である。
【図４】図４は図１に示すコネクタのコンタクトの端子部の配置を示す概念図である。
【図５Ａ】図５Ａは図１に示すコネクタの非高速伝送用のコンタクトの展開形状を示す斜視図である。
【図５Ｂ】図５Ｂは図５Ａに示すコンタクトに曲げ加工を施した状態を示す斜視図である。
【図５Ｃ】図５Ｃは図５Ｂに示すコンタクトの斜視図である。
【図６】図６は図１に示すコネクタが実装されるプリント基板の一部の平面図である。
【符号の説明】
【００４８】
１，２０１  コネクタ
３，２０３  ハウジング
５，２０５  コンタクト
３４ａ 凹部
５１，２５１  第１信号コンタクト（高速伝送用信号コンタクト）
５１ａ  接触部
５１ｂ 固定部
５１ｄ  端子部（接続部）
５２  第２信号コンタクト（高速伝送用信号コンタクト）
５２ａ  接触部
５２ｂ 固定部
５２ｄ  端子部（接続部）
５３，２５３  グランドコンタクト（高速伝送用グランドコンタクト）
５３ａ  接触部
５３ｂ 固定部
５３ｄ  端子部（接続部）
５４，５４´  コンタクト（非高速伝送用コンタクト）
５４ａ，５４ａ´  接触部
５４ｂ，５４ｂ´  圧入部（固定部）
５４ｄ，５４ｄ´  端子部（接続部）
５４ｆ，５４ｆ´  抜止め部（係合部）
Ａ  嵌合・離脱方向（コネクタ嵌合方向）
Ｃ  コンタクト配列方向
【図１Ａ】
0004671444.tif 000002
【図１Ｂ】
0004671444.tif 000003
【図１Ｃ】
0004671444.tif 000004
【図１Ｄ】
0004671444.tif 000005
【図２Ａ】
0004671444.tif 000006
【図２Ｂ】
0004671444.tif 000007
【図３】
0004671444.tif 000008
【図４】
0004671444.tif 000009
【図５Ａ】
0004671444.tif 000010
【図５Ｂ】
0004671444.tif 000011
【図５Ｃ】
0004671444.tif 000012
【図６】
0004671444.tif 000013